(57)【要約】【課題】開閉体によって開閉される開口部からの浸水を抑制することができる開口部用防水シートの保持機構を提供すること。【解決手段】構造物１の開口部２を開閉する開閉体４に対して開閉体よりも屋外側に設置されて構造物と開閉体とを一体に覆うシート１０を保持する保持部材を備え、保持部材は、第一保持部材４０と、第一保持部材と嵌め合わせ可能な第二保持部材５０とを有し、保持部材は、第一保持部材が床面８側から、第二保持部材が床面側と反対側から、床面を覆うシートを間に挟んで互いに嵌め合わされ、かつ第一保持部材は床面に載置される。【選択図】図１
2014037717.tif 000002
【特許請求の範囲】
【請求項１】
構造物の開口部を開閉する開閉体に対して前記開閉体よりも屋外側に設置されて前記構造物と前記開閉体とを一体に覆うシートを保持する保持部材を備え、
前記保持部材は、第一保持部材と、前記第一保持部材と嵌め合わせ可能な第二保持部材とを有し、
前記保持部材は、前記第一保持部材が床面側から、前記第二保持部材が前記床面側と反対側から、前記床面を覆う前記シートを間に挟んで互いに嵌め合わされ、かつ前記第一保持部材は前記床面に載置される
ことを特徴とする開口部用防水シートの保持機構。
【請求項２】
前記第一保持部材および前記第二保持部材において、互いに嵌め合わされたときに対向する面の断面形状が、円弧である
請求項１に記載の開口部用防水シートの保持機構。
【請求項３】
前記第一保持部材は、前記開口部の幅方向に沿って延在するように配置される
請求項１または２に記載の開口部用防水シートの保持機構。
【請求項４】
前記第一保持部材は、前記第二保持部材と嵌め合わされる嵌合部と、前記嵌合部の軸方向に延在し、前記床面に対して前記嵌合部を支持する一対の支持部とを有し、
前記一対の支持部のうち、前記第一保持部材が前記開口部の幅方向に沿って延在するように配置されたときに前記開閉体に近い側に位置する第一支持部は、前記床面に向かうに従い前記開閉体に向かう傾斜を有し、前記開閉体から遠い側に位置する第二支持部は、前記床面に向かうに従い前記開閉体から離間する傾斜を有する
請求項３に記載の開口部用防水シートの保持機構。
【請求項５】
前記支持部における前記床面と対向する面には、前記嵌合部の軸方向に延在する変形可能な突起が形成されている
請求項４に記載の開口部用防水シートの保持機構。
【請求項６】
前記支持部における前記床面と対向する面と反対側の面には、前記嵌合部の軸方向に延在する変形可能な突起が形成されている
請求項４または５に記載の開口部用防水シートの保持機構。
【請求項７】
前記保持部材は、更に、前記構造物の壁面に設置される第三保持部材と、前記壁面を覆う前記シートを挟んで前記第三保持部材と嵌め合わされる第四保持部材とを有する
請求項１から６のいずれか１項に記載の開口部用防水シートの保持機構。
【請求項８】
前記床面と前記壁面とがなす隅部に応じて屈曲し、かつ前記第一保持部材および前記第三保持部材のそれぞれと嵌め合わされる第五保持部材を有する
請求項７に記載の開口部用防水シートの保持機構。
【請求項９】
構造物の開口部を開閉する開閉体に対して前記開閉体よりも屋外側に設置されて前記構造物と前記開閉体とを一体に覆うシートを保持する開口部用防水シートの保持方法であって、
第一保持部材を床面に載置する手順と、
前記床面を覆う前記シートを間に挟んで、前記第一保持部材を前記床面側から、第二保持部材を前記床面側と反対側から互いに嵌め合わせる手順と、を備える
ことを特徴とする開口部用防水シートの保持方法。
【発明の詳細な説明】
【技術分野】
【０００１】
本発明は、開口部用防水シートの保持機構および開口部用防水シートの保持方法に関する。
【背景技術】
【０００２】
従来、開閉体によって開閉される開口部からの浸水を抑制する技術が提案されている。例えば、特許文献１には、シャッタの裏面には屈曲自在な防水シートが設けられていると共に、防水シートと対向するようにしてガイド部材にはシール部材が設けられ、シャッタに浸水しようとする氾濫水等の水圧がシャッタの表面に作用すると、防水シートがシール材に圧接されるようになっている、浸水防止機能を備えたシャッタ装置の技術が開示されている。
【先行技術文献】
【特許文献】
【０００３】
【特許文献１】特許第４４５９７４０号公報
【発明の概要】
【発明が解決しようとする課題】
【０００４】
開口部からの浸水を抑制することについて、なお改良の余地がある。例えば、シャッタとガイド部材との隙間以外の経路からも水が浸入する可能性がある。開口部からの浸水を適切に抑制できることが望まれている。
【０００５】
本発明の目的は、開閉体によって開閉される開口部からの浸水を抑制することができる開口部用防水シートの保持機構および開口部用防水シートの保持方法を提供することである。
【課題を解決するための手段】
【０００６】
本発明の開口部用防水シートの保持機構は、構造物の開口部を開閉する開閉体に対して前記開閉体よりも屋外側に設置されて前記構造物と前記開閉体とを一体に覆うシートを保持する保持部材を備え、前記保持部材は、第一保持部材と、前記第一保持部材と嵌め合わせ可能な第二保持部材とを有し、前記保持部材は、前記第一保持部材が床面側から、前記第二保持部材が前記床面側と反対側から、前記床面を覆う前記シートを間に挟んで互いに嵌め合わされ、かつ前記第一保持部材は前記床面に載置されることを特徴とする。
【０００７】
上記開口部用防水シートの保持機構では、第一保持部材と第二保持部材とによってシートを挟み込んだ状態で第一保持部材が床面に載置されるため、シートと床面との間からの浸水が抑制される。
【０００８】
上記開口部用防水シートの保持機構において、前記第一保持部材および前記第二保持部材において、互いに嵌め合わされたときに対向する面の断面形状が、円弧であることが好ましい。
【０００９】
上記開口部用防水シートの保持機構では、第一保持部材と第二保持部材との着脱が容易である。
【００１０】
上記開口部用防水シートの保持機構において、前記第一保持部材は、前記開口部の幅方向に沿って延在するように配置されることが好ましい。
【００１１】
上記開口部用防水シートの保持機構では、開口部に向かう流れを第一保持部材によって抑制することができる。
【００１２】
上記開口部用防水シートの保持機構において、前記第一保持部材は、前記第二保持部材と嵌め合わされる嵌合部と、前記嵌合部の軸方向に延在し、前記床面に対して前記嵌合部を支持する一対の支持部とを有し、前記一対の支持部のうち、前記第一保持部材が前記開口部の幅方向に沿って延在するように配置されたときに前記開閉体に近い側に位置する第一支持部は、前記床面に向かうに従い前記開閉体に向かう傾斜を有し、前記開閉体から遠い側に位置する第二支持部は、前記床面に向かうに従い前記開閉体から離間する傾斜を有することが好ましい。
【００１３】
上記開口部用防水シートの保持機構では、水流によって支持部に対して床面に向かう押圧力が発生するため、第一保持部材のずれが抑制される。
【００１４】
上記開口部用防水シートの保持機構において、前記支持部における前記床面と対向する面には、前記嵌合部の軸方向に延在する変形可能な突起が形成されていることが好ましい。
【００１５】
上記開口部用防水シートの保持機構では、床面の形状に応じて突起が変形するため、床面と支持部との隙間の発生が抑制される。
【００１６】
上記開口部用防水シートの保持機構において、前記支持部における前記床面と対向する面と反対側の面には、前記嵌合部の軸方向に延在する変形可能な突起が形成されていることが好ましい。
【００１７】
上記開口部用防水シートの保持機構では、シートと支持部との隙間の発生が抑制される。
【００１８】
上記開口部用防水シートの保持機構において、前記保持部材は、更に、前記構造物の壁面に設置される第三保持部材と、前記壁面を覆う前記シートを挟んで前記第三保持部材と嵌め合わされる第四保持部材とを有することが好ましい。
【００１９】
上記開口部用防水シートの保持機構では、壁面に対してシートを保持する作業を迅速に行うことができる。
【００２０】
上記開口部用防水シートの保持機構において、前記床面と前記壁面とがなす隅部に応じて屈曲し、かつ前記第一保持部材および前記第三保持部材のそれぞれと嵌め合わされる第五保持部材を有することが好ましい。
【００２１】
上記開口部用防水シートの保持機構では、隅部からの浸水が抑制される。
【００２２】
本発明の開口部用防水シートの保持方法は、構造物の開口部を開閉する開閉体に対して前記開閉体よりも屋外側に設置されて前記構造物と前記開閉体とを一体に覆うシートを保持する開口部用防水シートの保持方法であって、第一保持部材を床面に載置する手順と、前記床面を覆う前記シートを間に挟んで、前記第一保持部材を前記床面側から、第二保持部材を前記床面側と反対側から互いに嵌め合わせる手順と、を備えることを特徴とする。
【００２３】
上記開口部用防水シートの保持方法では、第一保持部材と第二保持部材とによってシートを挟み込んだ状態で第一保持部材が床面に載置されるため、シートと床面との間からの浸水が抑制される。
【発明の効果】
【００２４】
本発明に係る開口部用防水シートの保持機構および開口部用防水シートの保持方法によれば、開閉体によって開閉される開口部からの浸水を抑制することができるという効果を奏する。
【図面の簡単な説明】
【００２５】
【図１】図１は、第１実施形態に係る開口部用防水シートの保持機構を示す斜視図である。
【図２】図２は、開口部の水平断面図である。
【図３】図３は、第１実施形態に係る開口部用防水シートの保持機構を示す鉛直断面図である。
【図４】図４は、第二保持部材の断面図である。
【図５】図５は、保持部材の一例を示す図である。
【図６】図６は、保持部材の他の一例を示す図である。
【図７】図７は、第１実施形態の第１変形例に係る開口部用防水シートの保持機構を示す鉛直断面図である。
【図８】図８は、第２実施形態に係る開口部用防水シートの保持機構を示す斜視図である。
【図９】図９は、第２実施形態に係る開口部用防水シートの保持機構を示す鉛直断面図である。
【図１０】図１０は、第２実施形態の第１変形例に係る開口部用防水シートの保持機構を示す斜視図である。
【図１１】図１１は、第３実施形態に係る開口部用防水シートの保持機構を示す斜視図である。
【発明を実施するための形態】
【００２６】
以下に、本発明の実施形態に係る開口部用防水シートの保持機構および開口部用防水シートの保持方法につき図面を参照しつつ詳細に説明する。なお、この実施形態によりこの発明が限定されるものではない。また、下記の実施形態における構成要素には、当業者が容易に想定できるものあるいは実質的に同一のものが含まれる。
【００２７】
［第１実施形態］
図１から図６を参照して、第１実施形態について説明する。本実施形態は、開口部用防水シートの保持機構および開口部用防水シートの保持方法に関する。図１は、本発明の第１実施形態に係る開口部用防水シートの保持機構を示す斜視図、図２は、開口部の水平断面図、図３は、第１実施形態に係る開口部用防水シートの保持機構を示す鉛直断面図、図４は、第二保持部材の断面図、図５は、保持部材の一例を示す図、図６は、保持部材の他の一例を示す図である。
【００２８】
建物等の構造物の外部開口部には、シャッターが付けられることが多い。例えば、洪水時に浸水しやすい地下駐車場の入口や、浸水すると商品が毀損されやすい店舗の入口等にもシャッターが付けられていることが多い。シャッターは、隙間が多い構造であるため、ゲリラ豪雨や洪水時にはシャッターの隙間を介した浸水によってこれらの施設が被害に遭う可能性がある。
【００２９】
浸水対策として、シャッターとシャッターに隣接する構造物とを一体に覆う防水シートを設置することが検討されている。ここで、防水シートの止水性を高めるためには、防水シートと床面との間からの浸水を抑制できることが望ましい。
【００３０】
本実施形態に係る開口部用防水シートの保持機構１−１は、シート１０を保持する保持部材３０を含んで構成されている。保持部材３０は、第一保持部材４０と、第一保持部材４０と嵌め合わせ可能な第二保持部材５０とを有する。保持部材３０は、第一保持部材４０が床面８側から、第二保持部材５０が床面８側と反対側から、床面８を覆うシート１０を間に挟んで互いに嵌め合わされる。第一保持部材４０は、第二保持部材５０と嵌め合わされた状態で床面８に載置される。
【００３１】
本実施形態に係る開口部用防水シートの保持機構１−１によれば、水流等によってシート１０と床面８との間に水が入り込むことや、シート１０がめくれ上がることが抑制され、開口部２からの浸水が抑制される。
【００３２】
図１に示すシート１０は、構造物１の開口部２を閉塞し、屋外側から屋内側への水の浸入を抑制するものである。構造物１は、例えば、工場、倉庫、車庫、店舗、家屋等の建築構造物であり、開口部２を有している。開口部２は、構造物１の壁部等に形成されており、構造物１の屋外側と屋内側とを連通している。
【００３３】
ここで、屋外側とは、相対的に構造物１の外部空間に近い側を示し、屋内側とは、相対的に構造物１の外部空間から遠い側を示す。言い換えると、屋外側とは、外部空間から構造物１に水が浸入する場合の上流側、すなわち先に水が到達する側である。開口部２は、例えば、構造物１の外部空間（屋外）と内部空間（屋内）とを連通するものとすることができる。本実施形態の開口部２は、構造物１の外殻をなす壁部３に形成されており、壁部３を貫通して構造物１の屋外と屋内とを連通している。なお、これに限らず、開口部２は、構造物１の内部を仕切る壁部に形成されたものであってもよい。
【００３４】
シャッターカーテン４は、開口部２を開閉する開閉体である。シャッターカーテン４は、開閉方向、本実施形態では鉛直上下方向に移動する。シャッターカーテン４は、複数のスラット４ａを開閉方向に連接して形成されたスラット連接体である。本実施形態では、開方向が上方向、閉方向が下方向となる。
【００３５】
シャッターカーテン４は、ガイドレール５によって案内される。図２に示すように、壁部３は、開口部２を形成する壁面３ａ，３ｂを有する。壁面３ａと壁面３ｂとは開口部２の幅方向において互いに対向している。ガイドレール５は、壁面３ａ，３ｂにそれぞれ配置されており、幅方向において互いに対向している。シャッターカーテン４の幅方向の両端部は、それぞれガイドレール５の溝部５ａに挿入されている。溝部５ａは、開閉方向に延在しており、シャッターカーテン４を開閉方向に移動自在に案内する。
【００３６】
図１に戻り、シート１０は、開口部２に設置されるものであり、開口部２の鉛直方向下端側の領域を閉塞することが可能な幅および長さを有している。シート１０の形状は、例えば、矩形である。シート１０は、遮水性を有しており、開口部用防水シートとして機能することができる。また、シート１０は、可撓性を有しており、伸縮可能であってもよい。シート１０の素材は、例えば、樹脂、ゴム、表面を樹脂などでコーティングした布とすることができる。シート１０は、水圧によるシャッターカーテン４等の開閉体の変形に追従できる素材で構成されることが好ましい。
【００３７】
シート１０の幅は、シャッターカーテン４の幅よりも大きい。また、シート１０の幅は、開口部２の幅Ｗ、言い換えると壁面３ａと壁面３ｂとの間の水平距離よりも大きいことが好ましい。シート１０の開閉方向の長さは、対応すべき水深に基づいて定められている。すなわち、シャッターカーテン４の下端から鉛直方向上側に向けてどの範囲をシート１０によって覆い防水するかに基づいてシート１０の全長（開閉方向の長さ）が定められている。以下の説明では、シャッターカーテン４においてシート１０によって覆われるべき部分を「所定部」（図２の符号４ｂ参照）と称する。所定部４ｂは、シャッターカーテン４の鉛直方向下端側の部分である。
【００３８】
図２に示すように、保持部２０は、シート１０をシャッターカーテン４よりも屋外側の位置で構造物１に対して保持する。より詳しくは、保持部２０は、シャッターカーテン４の所定部４ｂと、構造物１のうち所定部４ｂに隣接する部分とを一体に覆うことで開口部２の鉛直方向下端部を閉塞させるようにシート１０を保持する。また、保持部２０は、シート１０の鉛直方向下端部が床面８に沿って屋外側に向けて延在するようにシート１０を保持する。これにより、シート１０は、シャッターカーテン４が有する隙間やシャッターカーテン４と構造物１との隙間を塞ぎ、屋内側への浸水を抑制することができる。
【００３９】
図２に示すように、保持部２０は、レール２１およびビード２２を有する。レール２１は、壁面３ａ，３ｂにそれぞれ取り付けられている。なお、レール２１は、ガイドレール５に対して固定されてもよい。レール２１は、断面Ｃ字形状であり、互いに対向する面にスリットが形成されている。レール２１は、開閉方向に延在しており、シャッターカーテン４の所定部４ｂに対応する範囲に配置されている。すなわち、レール２１は、シャッターカーテン４の下端から所定部４ｂの上端までの範囲に対応して配されている。
【００４０】
ビード２２は、レール２１内に挿入可能である。ビード２２は、断面Ｃ字形状であり、Ｃ字の両端部が外側に向けて突出している。ビード２２は、軽量でかつ可撓性を有する素材、例えば樹脂素材で形成されている。
【００４１】
シート１０の幅方向の両端には、それぞれジッパー１１が配置されている。ジッパー１１は、シート１０の縁部に配置されており、シート１０の長さ方向（開閉方向）に延在している。ジッパー１１は、円柱形状であり、ビード２２の中空部に挿入可能である。ビード２２のスリット幅は、ジッパー１１の外径よりも小さいため、ジッパー１１がスリットを介してビード２２から抜け出ることが規制される。
【００４２】
シート１０を開口部２に設置する場合、まずシート１０のジッパー１１がビード２２の中空部に挿入される。次いで、ビード２２がレール２１に対して開閉方向に挿入される。シート１０の幅は、開口部２の幅Ｗ（図２参照）、言い換えると壁面３ａと壁面３ｂとの距離よりも大きい。このため、シート１０の両端部が保持部２０によって保持された状態で、シート１０はたるみを有している。つまり、保持部２０は、シート１０がたるみを有した状態でシート１０を保持し、シート１０が保持部２０よりもシャッターカーテン４側に向けて撓んで所定部４ｂと接触することを許容する。
【００４３】
なお、シート１０を構造物１に対して保持する手段は、ビード２２およびレール２１によるものには限定されない。例えば、構造物１に設置されたレール２１によって直接シート１０が保持されてもよい。また、粘着式のテープや面ファスナー等によってシート１０が構造物１に保持されてもよい。磁石等によってシート１０が構造物１に保持されてもよい。
【００４４】
シート１０の開閉方向の長さは、シャッターカーテン４の所定部４ｂの開閉方向の長さよりも長い。従って、シート１０が保持部２０によって保持された状態で、シート１０の鉛直方向下端部を床面８上に垂らし、床面８に沿わせることが可能である。シート１０は、このシート１０の鉛直方向下端部を床面８に沿って屋外側に向けて延在させた状態で設置される。言い換えると、シート１０は、鉛直方向下端部が床面８と互いに対向し、かつ先端側へ向かうに従いシャッターカーテン４から離間するように配置される。本明細書では、シート１０の鉛直方向下端部であって、シート１０が保持部２０によって保持された状態で床面８を覆う部分を「床面被覆部１２」と記載する。また、シート１０の幅方向の端部であって、壁面３ａ，３ｂを覆う部分を「壁面被覆部１３」と記載する。
【００４５】
洪水やゲリラ豪雨等によって屋外の水嵩が増すと、まず床面被覆部１２が水に接する。このとき、床面８に床面被覆部１２を載置しただけであると、床面被覆部１２と床面８との間に水が浸入し、シート１０の表裏に同一の水圧が掛かってシート１０が床面に密着しない可能性がある。シート１０が床面に密着しないと、水が床面８とシート１０との隙間を通り抜けて止水性能が低下してしまう。これに対して、床面被覆部１２の先端部に水の比重よりも大きいおもりを連続的に載置して水の浸入を抑制することが考えられる。しかしながら、激しい水流の時には、おもりがずれてしまい不連続部分が発生する可能性がある。ずれを抑制するためにシート１０を袋状にし、おもりを固定することが考えられるが、この場合袋部に空気が残って浮力が発生する問題がある。
【００４６】
本実施形態に係る開口部用防水シートの保持機構１−１は、第一保持部材４０と第二保持部材５０とが床面被覆部１２を間に挟んで互いに嵌め合わされ、第一保持部材４０が床面８に載置される。これにより、保持部材３０がシート１０に対してずれることが抑制される。
【００４７】
図３に示すように、第一保持部材４０と第二保持部材５０とは嵌め合わせ可能である。保持部材３０は、第一保持部材４０が床面８側から、第二保持部材５０が床面側と反対側から、床面被覆部１２を間に挟んで互いに嵌め合わされる。保持部材３０は、床面被覆部１２を間に挟んで保持部材４０，５０が嵌め合わされた状態で、第一保持部材４０が床面８に載置される。第一保持部材４０が床面８に載置された後で床面被覆部１２を間に挟んで第二保持部材５０が嵌め合わされても、床面被覆部１２を間に挟んで第一保持部材４０と第二保持部材５０とが嵌め合わされた後で第一保持部材４０が床面８に載置されてもよい。
【００４８】
第一保持部材４０は、嵌合部４１と、一対の支持部４２，４３とを有する。嵌合部４１は、第二保持部材５０と嵌め合わされる部分である。嵌合部４１の外周面は、第一保持部材４０が第二保持部材５０と互いに嵌め合わされたときに第二保持部材５０と対向する面であり、その断面形状は円弧である。本実施形態では、嵌合部４１は、略円筒形状であり、断面円形の貫通孔４１ｂが軸方向（長手方向）に形成されている。嵌合部４１の外周面において、第二保持部材５０と嵌め合わされた状態で第二保持部材５０と対向する部分４１ａの中心角θは、１８０度よりも大きい。嵌合部４１に対するシート１０の巻き付け角は、上記中心角θに対応している。本明細書において、床面被覆部１２を間に挟んで第一保持部材４０と第二保持部材５０とが嵌め合わされた状態を「保持嵌合状態」と称する。
【００４９】
一対の支持部４２，４３は、嵌合部４１の外周面から径方向外側に向けて突出している。第一支持部４２は、保持嵌合状態で第二保持部材５０と対向する部分４１ａの周方向の一方の端部から突出しており、第二支持部４３は、他方の端部から突出している。第一支持部４２と第二支持部４３とのなす角度αは、１８０度よりも小さい。支持部４２，４３は、嵌合部４１の軸方向の一端から他端まで軸方向に延在している。各支持部４２，４３は、板状に形成されており、基端側が嵌合部４１と接続されている。各支持部４２，４３は、基端側から先端側へ向かうに従い板厚が小さくなるテーパ形状をなしている。支持部４２，４３は、それぞれの先端部が床面８に接するように載置されて、床面８に対して嵌合部４１を支持する。支持部４２，４３は、嵌合部４１を床面８から離間させた状態で支持することができる。
【００５０】
一対の支持部４２，４３は、基端側から先端側へ向かうに従って互いに離間するように形成されている。従って、一対の支持部４２，４３のそれぞれの先端部が床面８に接するように、かつ開口部２の幅方向に沿って嵌合部４１が延在するように第一保持部材４０が載置されると、一方の支持部４２がシャッターカーテン４に近い側に位置し、他方の支持部４３がシャッターカーテン４から遠い側に位置することとなる。ここでは、シャッターカーテン４に近い側に位置する支持部４２を「第一支持部４２」と称し、シャッターカーテン４から遠い側に位置する支持部４３を「第二支持部４３」と称する。
【００５１】
第一保持部材４０が開口部２の幅方向に沿って延在するように床面８に載置されたときに、第一支持部４２は、床面８へ向かうに従いシャッターカーテン４に向かう傾斜を有し、第二支持部４３は、床面８へ向かうに従いシャッターカーテン４から離間する傾斜を有する。支持部４２，４３と床面８との間には、断面三角形状の空間部２３が形成される。
【００５２】
第二保持部材５０は、床面被覆部１２を間に挟んで第一保持部材４０の嵌合部４１と嵌め合わされる。本実施形態に係る第二保持部材５０は、断面Ｃ字あるいはΩ字形状の部材である。第二保持部材５０の内周面は、保持嵌合状態で第一保持部材４０の外周面と対向する面であり、その断面形状は円弧である。第一保持部材４０の外周面および第二保持部材５０の内周面がそれぞれ断面円弧形状であることにより、第一保持部材４０と第二保持部材５０とを容易に着脱することができる。また、シート１０と保持部材４０，５０との隙間の発生が抑制される。
【００５３】
図４に示すように、第二保持部材５０の内部内々寸法Ｌ１は、第二保持部材５０の開口部内々寸法Ｌ２よりも大きい。内々寸法は、図４に示す第二保持部材５０の軸方向と直交する断面で示される寸法である。内々寸法は、一方の押圧部５１と他方の押圧部５１とを結ぶ方向における第二保持部材５０の内周面間の距離である。第二保持部材５０は、押圧部５１，５１間に形成された開口部を有しており、開口部の近傍は、開口部から奥部へ向かうに従い内々寸法が大きくなるように形成されている。従って、第二保持部材５０は、第一保持部材４０と嵌合し、第一保持部材４０との間にシート１０を保持することができる。
【００５４】
なお、第一保持部材４０および第二保持部材５０の断面形状は、図３に例示したものには限定されない。例えば、第一保持部材４０の嵌合部４１の断面形状は、多角形、一例として図５に示すような矩形であってもよい。これに対応する第二保持部材５０の断面形状は、多角形の一部に開口部を設けたもの、例えば、図５に示すように矩形の一辺に開口部を設けたものとすることができる。また、第一保持部材４０の嵌合部４１の断面形状は、一部を円弧形状としたもの、例えば、図６に示すように、平行な２本の直線部の端部同士を円弧で接続した形状であってもよい。これに対応する第二保持部材５０の断面形状は、第一保持部材４０の断面形状と同様の形状に対して開口部を設けたものとすることができる。また、第一保持部材４０の嵌合部４１の断面形状は、真円以外の円形、例えば楕円形状とされてもよい。これに対応する第二保持部材５０の断面形状は、円形の一部に開口部を設けたもの、例えば、楕円の一部に開口部を設けたものとすることができる。
【００５５】
第二保持部材５０は、弾性変形可能な素材で構成され、かつ可撓性を有していることが望ましい。第一保持部材４０の嵌合部４１の外周面の直径と、第二保持部材５０の内周面の直径とは略等しい。これにより、床面被覆部１２を間に挟んで第一保持部材４０と第二保持部材５０とが嵌め合わされたときに、第一保持部材４０や第二保持部材５０と床面被覆部１２との間に隙間が生じることが抑制される。
【００５６】
第二保持部材５０は、押圧部５１を有する。押圧部５１は、断面視における第二保持部材５０の周方向の両端部に形成されており、断面略円形の円柱状の部分である。押圧部５１は、保持嵌合状態でシート１０を各支持部４２，４３に向けて押圧する。
【００５７】
保持部材３０は、保持嵌合状態で、嵌合部４１が開口部２の幅方向に沿って延在するように、かつ支持部４２，４３が床面８に対して嵌合部４１を支持するように床面８に配置される。言い換えると、保持部材３０は、軸線方向が開口部２の幅方向と平行となるように設置される。このときに、床面被覆部１２が第二支持部４３の少なくとも一部を覆っていることが好ましい。また、床面被覆部１２の先端の縁部が、第二支持部４３の先端よりも屋外側に位置し、床面８に接触するようにされてもよい。このようにすれば、床面被覆部１２と床面８との間に水が浸入することが抑制される。また、第一保持部材４０が開口部２の幅方向に沿って延在することで、開口部２に向かう水の流れを第一保持部材４０によって抑制することができる。例えば、水位が低いときにシート１０と床面８との間に浸入した水の流れを第一保持部材４０によって弱めあるいは止めることができる。
【００５８】
本実施形態では、図１に示すように、複数の第一保持部材４０が開口部２の幅方向に連続して設置される。このときに、隣接する第一保持部材４０の隙間を小さくすることで、止水効果を高めることができる。例えば、隣接する第一保持部材４０の端部同士を接触させるように設置することが好ましい。また、第一保持部材４０の長さを適切に定めることで、施工性を向上させることができる。例えば、一組の第一保持部材４０と第二保持部材５０とで床面被覆部１２の全体を保持しようとすると、第一保持部材４０や第二保持部材５０の長さが大きくなり、取扱性が低下したり、収納性が低下したりする。これに対して、第一保持部材４０や第二保持部材５０を適切な長さ、例えば５０ｃｍ程度の長さとすると、取扱や収納が容易となる。
【００５９】
図３に示すように、第二支持部４３は、床面８に向かうに従い屋外側へ向かうように傾斜している。従って、矢印Ｙ１に示す屋内側へ向かう水流を受けると、第二支持部４３には床面８に向かう押圧力が作用して第二支持部４３と床面８との密着性が増す。これにより、水流Ｙ１によって保持部材３０がずれたり浮き上がったりすることが抑制される。
【００６０】
また、第一支持部４２および第二支持部４３は、樹脂等の素材で形成されており、弾性変形可能であり、床面８の凹凸に応じて変形することができる。各支持部４２，４３は、床面８に向かう押圧力により変形可能である。保持嵌合状態では、第二保持部材５０およびシート１０の重量により、第一保持部材４０に対して床面８に向かう押圧力が作用する。各支持部４２，４３は、少なくともこの押圧力によって変形可能であることが好ましい。また、各支持部４２，４３は、第一保持部材４０の自重によって変形可能であってもよい。
【００６１】
各支持部４２，４３が変形可能であることにより、各支持部４２，４３の先端部と床面８との間に隙間が発生することが抑制される。よって、各支持部４２，４３と床面８との間から屋内側に水が浸入することが抑制される。また、各支持部４２，４３には、突起４４が形成されている。突起４４は、各支持部４２，４３における床面８と対向する面に配置されており、各支持部４２，４３の一端から他端まで嵌合部４１の軸方向に延在している。突起４４は、各支持部４２，４３に対して複数形成されており、かつ互いに平行である。なお、突起４４は、第一支持部４２あるいは第二支持部４３のいずれか一方に設けられてもよい。
【００６２】
突起４４は、各支持部４２，４３の先端部に配置されており、例えば、第一保持部材４０が床面８上に載置されたときに少なくとも一つの突起４４が床面８に接触するように配置されている。突起４４を有することで、各支持部４２，４３と床面８との密着性が増す。突起４４は、床面８の凹凸に応じて変形し、床面８との隙間の発生を抑制することができる。また、突起４４によって嵌合部４１を支持することで、支持部４２，４３における床面８との接触部の面圧が増し、床面８との密着性が増す。
【００６３】
水圧等によって保持部材３０に対して床面８に向かう押圧力が作用すると、各支持部４２，４３が床面８に向けて凸に湾曲するように変形する。これにより、既に床面８と接触していた突起４４の面圧が増す。また、それまで床面８から離間していた突起４４が新たに床面８と接触することができる。従って、床面８に向かう押圧力に応じて、床面８と各支持部４２，４３との密着性が増す。床面８に向かう押圧力によって各支持部４２，４３が変形すると、空間部２３の空気が端部から外部空間に排出され、空間部２３の容積が減少する。
【００６４】
また、各支持部４２，４３における床面８側と反対側の面には、突起４５が形成されている。突起４５は、各支持部４２，４３の一端から他端まで嵌合部４１の軸方向に延在している。突起４５は、各支持部４２，４３に対して複数形成されており、かつ互いに平行である。なお、突起４５は、第一支持部４２あるいは第二支持部４３のいずれか一方に設けられてもよい。
【００６５】
本実施形態の突起４５は、各支持部４２，４３の基端側に配置されている。突起４５を有することで、各支持部４２，４３とシート１０との密着性が増す。突起４５は、床面被覆部１２が不規則に撓んだ場合やしわが生じた場合に床面被覆部１２の形状に応じて変形可能であり、第一保持部材４０とシート１０との隙間の発生を抑制することができる。なお、第二保持部材５０の押圧部５１によって床面被覆部１２が突起４５に向けて押圧されるようにしてもよい。
【００６６】
複数の第一保持部材４０を開口部２の幅方向に連続して配置する場合、複数の第一保持部材４０に対して一つの第二保持部材５０が嵌め合わされてもよい。本実施形態では、図１に示すように、開口部２の幅方向において隣接する２つの第一保持部材４０に対して、一つの第二保持部材５０が嵌め合わされる。これにより、隣接する２つの第一保持部材４０が第二保持部材５０を介して直線状に連結される。二つの第一保持部材４０が隙間をあけて配置されている場合であっても、隙間部分のシート１０が第二保持部材５０によって押さえられ、床面８からの浮き上がりが抑制される。よって、シート１０と床面８との隙間を小さなものとして開口部２からの浸水を抑制することができる。また、複数の第一保持部材４０が互いに連結されることで、水流によって保持部材３０が移動してしまうことが抑制される。
【００６７】
第二保持部材５０によって複数の第一保持部材４０を連結することに代えて、あるいは加えて、他の部材によって複数の第一保持部材４０が連結されてもよい。例えば、第一保持部材４０の貫通孔４１ｂに対して断面円柱形状等の棒状の部材を差し込むことにより、複数の第一保持部材４０が互いに連結されてもよい。
【００６８】
本実施形態に開示された開口部用防水シートの保持方法は、構造物１の開口部２を開閉する開閉体に対して開閉体よりも屋外側に設置されて構造物１と開閉体とを一体に覆うシート１０を保持する開口部用防水シートの保持方法であって、次の２つの手順を含んでいる。
【００６９】
手順の１つは、第一保持部材４０を床面８に載置する手順であり、他の手順は、床面８を覆うシート１０を間に挟んで、第一保持部材４０を床面８側から、第二保持部材５０を床面８側と反対側から互いに嵌め合わせる手順である。２つの手順は、いずれを先に実行してもよく、また並行して実行されてもよい。
【００７０】
なお、シート１０および開口部用防水シートの保持機構１−１を適用可能な開閉体としては、スラット以外に、パイプ、パネルやシート状物、ネット状物を開閉方向へ単数もしくは複数連接してなる態様、あるいはスラット、パネル、パイプ、シート状物、ネット状物等を適宜に組み合わせてなる態様のものが挙げられる。
【００７１】
本実施形態に係るシート１０は、シャッターカーテン４と、床面８と、壁面３ａ，３ｂとを一体に覆うものであったが、シート１０は、少なくともシャッターカーテン４と床面８とを一体に覆うものであればよい。例えば、シャッターカーテン４と床面８とを覆うシート１０とは別に、シャッターカーテン４と壁面３ａ，３ｂとを一体に覆うシートが設置されてもよい。
【００７２】
［第１実施形態の第１変形例］
第１実施形態の第１変形例について説明する。図７は、第１実施形態の第１変形例に係る開口部用防水シートの保持機構１−２を示す鉛直断面図である。本変形例に係る保持部材３０において、上記第１実施形態の保持部材３０と異なる点は、第二保持部材５０が床面被覆部１２を床面８に向けて押圧する押圧部５２を有する点である。
【００７３】
図７に示すように、押圧部５２は、断面視における第二保持部材５０の周方向の端部に形成されており、径方向の外側に向けて突出している。押圧部５２は、板状に形成されており、第二保持部材５０の一端から他端まで軸方向に設けられている。第二保持部材５０は、押圧部５２と第二支持部４３とが床面被覆部１２を間に挟んで対向するように、第一保持部材４０に対して嵌め合わされる。保持部材３０が保持嵌合状態で床面８に載置されたときに、押圧部５２の先端部が床面被覆部１２を床面８に向けて押圧する。これにより、床面被覆部１２のめくれ上がりや床面被覆部１２と床面８との隙間の発生が抑制される。
【００７４】
なお、押圧部５２は、床面被覆部１２を床面８に向けて押圧することに代えて、床面被覆部１２を第二支持部４３に向けて押圧するようにしてもよい。例えば、押圧部５２の先端部が、床面被覆部１２を第二支持部４３の先端部に向けて押圧するようにしてもよい。このようにすれば、第二支持部４３と床面被覆部１２との密着性を高めることが可能である。また、開口部２の幅方向に沿って第一保持部材４０を互いに隙間をあけて配置した場合であっても、その隙間部分における床面被覆部１２と床面８との隙間の発生を抑制することができる。
【００７５】
［第２実施形態］
図８および図９を参照して、第２実施形態について説明する。第２実施形態については、上記第１実施形態で説明したものと同様の機能を有する構成要素には同一の符号を付して重複する説明は省略する。図８は、第２実施形態に係る開口部用防水シートの保持機構２−１を示す斜視図、図９は、第２実施形態に係る開口部用防水シートの保持機構２−１を示す鉛直断面図である。第２実施形態に係る開口部用防水シートの保持機構２−１において、上記第１実施形態の開口部用防水シートの保持機構１−１と異なる点は、壁部３に対してシート１０を保持する保持部材６０を有する点である。
【００７６】
従来、シート１０を壁面３ａ，３ｂに固定する際に、固い部材で壁面３ａ，３ｂとの間にシート１０を挟みながら固定する方法が一般的であった。こうした方法では、ネジ等による固定と、シート１０の挟み込みとを同時に行うため、複雑な作業が必要となる。また、ネジ穴がシート１０を貫通するため、その部分からの水漏れが発生するという問題がある。
【００７７】
図８に示すように、本実施形態に係る保持部材６０は、構造物１の壁面３ｂ（３ａ）に設置される第三保持部材７０と、壁面３ｂ（３ａ）を覆うシート１０を挟んで第三保持部材７０と嵌め合わされる第四保持部材８０とを有する。本実施形態に係る開口部用防水シートの保持機構２−１によれば、第三保持部材７０を壁面３ａ，３ｂに取り付ける作業と、シート１０を固定する作業とが独立している。このため、シート１０にしわが発生しにくく、またネジ孔等の漏水部分が生じない。
【００７８】
本実施形態に係る第三保持部材７０は、円筒形状のパイプ状の部材である。第三保持部材７０は、シート１０を開口部２に設置する前に、予め壁面３ａ，３ｂに固定される。第三保持部材７０は、例えば、金属製や樹脂製のものであり、ビス等の固定部材によって壁面３ａ，３ｂに対して固定される。第三保持部材７０は、床面８から所定の高さ位置まで開閉方向に延在するように設置される。第三保持部材７０の長さは、例えば、シャッターカーテン４の所定部４ｂの開閉方向の長さに応じて定められている。
【００７９】
シート１０は、壁面被覆部１３が第三保持部材７０と壁面３ａ，３ｂとを一体に覆うように開口部２に設置される。第四保持部材８０は、第三保持部材７０との間に壁面被覆部１３を挟んで第三保持部材７０と嵌め合わされる。壁面被覆部１３を第三保持部材７０に向けて押し付けながら第四保持部材８０を嵌め合わせることで、壁面被覆部１３がしわになりにくいという利点がある。また、断面Ｃ字あるいはΩ字形状の第四保持部材８０の弾性変形にて壁面被覆部１３を挟むため、巻き付け角度が向上し、強固な固定となる。第三保持部材７０と第四保持部材８０とは着脱自在であるため、何度も繰り返して使用することができ、かつ調整も容易である。またシート１０の取り付け時にネジ止め等の作業が不要であり、迅速な作業となる。
【００８０】
図９は、第三保持部材７０と第四保持部材８０とが壁面被覆部１３を間に挟んで嵌め合わされた保持嵌合状態の保持部材６０を示す断面図である。本実施形態に係る第四保持部材８０は、断面Ｃ字あるいはΩ字形状の部材である。第四保持部材８０は、例えば、上記第１実施形態の第二保持部材５０と同様の素材で形成され、同様の変形性を有するものである。第三保持部材７０の外周面の直径と、第四保持部材８０の内周面の直径とは等しい。これにより、壁面被覆部１３を間に挟んで第三保持部材７０と第四保持部材８０とが嵌め合わされたときに、第三保持部材７０や第四保持部材８０と壁面被覆部１３との間に隙間が生じることが抑制される。
【００８１】
第四保持部材８０は、押圧部８１を有する。押圧部８１は、断面視における第四保持部材８０の周方向の両端部に形成されている。押圧部８１は、保持嵌合状態で壁面被覆部１３を壁面３ａ，３ｂに向けて押圧する。
【００８２】
一つの第三保持部材７０に対して一つの第四保持部材８０が組み合わされても、複数の第四保持部材８０が組み合わされてもよい。一つの第三保持部材７０に対して一つの第四保持部材８０が嵌め合わされるときには、第三保持部材７０と第四保持部材８０とが同じ長さであることが好ましい。
【００８３】
なお、壁面３ａ，３ｂに対する第三保持部材７０の固定方法は、ビスによるものに限らず、両面テープや接着剤等によるものでもよい。
【００８４】
［第２実施形態の第１変形例］
第２実施形態の第１変形例について説明する。図１０は、第２実施形態の第１変形例に係る開口部用防水シートの保持機構を示す斜視図である。本変形例では、床面８と壁面３ａ，３ｂとが交わる隅部９において第五保持部材９０によってシート１０が保持される。
【００８５】
第五保持部材９０は、床面８に載置された第一保持部材４０と、壁面３ａ，３ｂに設置された第三保持部材７０とを互いに接続することができる。第五保持部材９０は、第一保持部材４０および第三保持部材７０とそれぞれ嵌め合わせることが可能である。第五保持部材９０を設置する場合、第一保持部材４０の嵌合部４１の外径と、第三保持部材７０の外径とを統一することが好ましい。第五保持部材９０は、可撓性を有しており、床面８と壁面３ａ，３ｂとがなす隅部９に沿って折り曲げ可能である。これによって、折り曲げ部分よりも一端側を床面８に沿って延在させ、他端側を壁面３ａ，３ｂに沿って延在させることが可能である。
【００８６】
第五保持部材９０の一端側を床面被覆部１２を挟んで第一保持部材４０に嵌め合わせ、他端側を壁面被覆部１３を挟んで第三保持部材７０に嵌め合わせることができる。これにより、第五保持部材９０を介して第一保持部材４０と第三保持部材７０とを接続することができる。このようにすれば、隅部９とシート１０との隙間を低減し、隅部９からの浸水を抑制することができる。
【００８７】
また、第五保持部材９０によって、第一保持部材４０から押し出される空気を第三保持部材７０に逃がすことができる。例えば、第一保持部材４０の空間部２３から水圧によって空気が押し出された場合に、その空気は第五保持部材９０を介して第三保持部材７０の円筒形状の管部に送られ、外部に放出される。このように空気の逃げ道を確保することで、第一保持部材４０と床面８との密着性を向上させることができる。
【００８８】
なお、第五保持部材９０は、隅部９において床面８と壁面３ａ，３ｂとがなす角度に応じて予め屈曲した形状のものであってもよい。
【００８９】
［第３実施形態］
図１１を参照して、第３実施形態について説明する。第３実施形態については、上記各実施形態で説明したものと同様の機能を有する構成要素には同一の符号を付して重複する説明は省略する。図１１は、第３実施形態に係る開口部用防水シートの保持機構３−１を示す斜視図である。本実施形態に係る開口部用防水シートの保持機構３−１では、壁面とフラットなシャッターカーテン４に対して設置されるシート１０を適切に保持し、浸水を抑制することができる。
【００９０】
図１１に示すシャッターカーテン４は、屋外側を向く壁面３ｃに対してシャッターカーテン４がほぼ同一平面上に配置されるフラットタイプのものである。こうしたシャッターカーテン４の場合、図８に示すような入り隅納まりのシャッターカーテン４の場合と異なり、開口部２の幅方向において互いに対向する壁面３ａ，３ｂに第三保持部材７０を設置することができないことがある。これに対して、屋外側を向く壁面３ｃに第三保持部材７０を設置することが考えられる。この場合、床面８に設置する保持部材と壁面３ｃに設置する保持部材とを連結するためには、床面８用の保持部材を屈曲させることが望ましい。
【００９１】
本実施形態に係る床面８用の保持部材１３０は、屈曲部１００を有する。保持部材１３０は、屈曲部１００を有することにより、シート１０の縁部を適切に保持し、浸水を抑制することができる。保持部材１３０は、屈曲部１００を利用して、シャッターカーテン４を囲むようにして配置可能である。屈曲部１００は、例えば、上記第１実施形態に係る第一保持部材４０を予め屈曲させた形状とし、これに第二保持部材５０を嵌め合わせることで実現可能である。第二保持部材５０は、第一保持部材４０と同様に予め屈曲させておくようにしても、第一保持部材４０に合わせて屈曲可能な可撓性のものとしてもよい。
【００９２】
なお、第一保持部材４０は、上記第１実施形態のように床面８に載置されるものに代えて、予め床面８に固定されるものとされてもよい。床面８に固定される第一保持部材４０は、例えば、上記第２実施形態の第三保持部材７０と同様のパイプ状のものであってもよい。
【００９３】
上記の各実施形態および変形例に開示された開口部用防水シートの保持機構１−１，１−２，２−１，３−１および開口部用防水シートの保持方法によれば、開閉体によって開閉される開口部からの浸水を抑制することができる。また、上記の各実施形態および変形例に開示された開口部用防水シートの保持機構１−１，１−２，２−１，３−１の少なくとも一つとシート１０とを有する開口部の防水装置によれば、開閉体によって開閉される開口部からの浸水を抑制することができる。
【００９４】
上記の各実施形態および変形例に開示された内容は、適宜組み合わせて実行することができる。
【符号の説明】
【００９５】
１−１，１−２，２−１，３−１  開口部用防水シートの保持機構
１  構造物
２  開口部
３  壁部
３ａ，３ｂ，３ｃ  壁面
４  シャッターカーテン
８  床面
１０  シート
１２  床面被覆部
１３  壁面被覆部
３０，６０  保持部材
４０  第一保持部材
５０  第二保持部材
７０  第三保持部材
８０  第四保持部材
９０  第五保持部材
【図１】
2014037717.tif 000003
【図２】
2014037717.tif 000004
【図３】
2014037717.tif 000005
【図４】
2014037717.tif 000006
【図５】
2014037717.tif 000007
【図６】
2014037717.tif 000008
【図７】
2014037717.tif 000009
【図８】
2014037717.tif 000010
【図９】
2014037717.tif 000011
【図１０】
2014037717.tif 000012
【図１１】
2014037717.tif 000013